(57)【要約】【課題】様々な容器取り付け部位に脱着可能で扱いやすい柄の付いた計量カップを製作しスマートでコンパクトに陳列できる止着計量カップを提供する。【解決手段】計量カップ１は、カップ部２と、このカップ部２から伸びる柄部３と、この柄部３のカップ部２と反対側の端部に形成された環状取り付け部４、そして柄部３の円環状取り付け部４側片方に設けてある切り離し部５と柄部に設けてある折り曲げスリット７、また環状取り付け部内側には数カ所の突起物６を備えている。この構造により様々な対象容器への脱着が容易になり、また希釈等の計量カップ使用時、安全に扱い易く内容物を取り扱える効果がある。【選択図】図１
0003178810.tif 000002
【実用新案登録請求の範囲】
【請求項１】
カップ部と、カップ部から伸びる柄部とを有する計量カップにおいて、前記計量カップを容器に止着するための環状取り付け部を、前記柄部から伸びるカップ部とは反対側の端部に設け、かつ、前記計量カップを前記容器の外に取り付けられるように折り曲げられるヒンジを前記柄部に設けたことを特徴とする円環状取り付け部付き柄付計量カップ。
【請求項２】
前記ヒンジはカップ部を開口側に折り曲げることが出来るが、これとは反対側に折り曲げられないことを特徴としている請求項１記載の環状取り付け部付き柄付計量カップ。
【請求項３】
前記環状取り付け部根元の一部が分離していることを特徴としている請求項１記載の環状取り付け部付き柄付計量カップ。
【請求項４】
前記環状取り付け部内側に複数の凸部を設けることを特徴とする請求項１記載の環状取り付け部付き柄付計量カップ。
【考案の詳細な説明】
【技術分野】
【０００１】  本考案は対象容器の内容物である液体や粉末を計量もしくは必要量を取り出ための計量カップの改良に関するものである。
【背景技術】
【０００２】  一般にビニール容器詰めやプラスチックボトル詰めの液状又は粉末状の洗剤や化学薬品、農薬等を計量するのに利用させる計量カップは一般的に知られている。【０００３】  通常、洗剤あるいは洗浄薬品類入りの容器には、付属の計量目盛付兼用キャップ等が付いており、内容物取り出しの際には付属の計量目盛付き兼用キャップを使用し計量していた。
しかし、前記キャップは本来の絶対密閉蓋の機能を最優先させねばならず内容目盛が非常に見づらく詳細な目盛計量指示が難しいな上、一般的な扱いやすい柄付きの計量スプーンと違い既存容器から目的容器に移す際等に零れや溢れ等の原因となるカップ自体の扱いにくさに難点があった（特許文献４参照）。【０００４】  上記０００３に記載したものの一例として対象容器内内容物を計量又は移動使用の際、内容物が劇薬や農薬、あるいは塩素系洗浄剤や酸素系洗浄剤等の濃縮希釈目的の液体、粉体の場合、上記計量目盛付き兼用キャップを直接持ったまま、移し替えねばならず、対象液体や粉体の零れ溢れ等で手に掛かったり体に掛かかる等の危険があった。【０００５】  スパウトパック等のキャップ付きスタンド型ビニール容器や洗剤、農薬等の化学薬品が入った取っ手付きプラスチックボトルやポリ容器、スチール缶等を使用時には、上記計量兼用キャップが付いていない時は持参計量カップにより計量しなければならなかった。しかしながら、手元に手頃なカップが無かったり、遠くから持ってくるのが面倒くさい事が難点であったり、又使用後取り付け保持が出来ないため次回使用時迄無くさないよう保持管理に手間がかかる事が難点であった。【０００６】  従来この種の計量カップや計量スプーンは計量スプーンの一部を挟持するように本体容器内壁に設けられたスプーン固定部によって収納したもの（特許文献１参照）計量スプーンの把手部一部を抱持するように容器本体内壁に設けられたスプーン固定部によって容器に保持されたもの（特許文献２参照）および計量スプーンを釣り下げるように容器内内壁に設けられたフックによって容器体に保持されたもの（特許文献３参照）容器内にスプーンだけ入ったものがある。
【特許文献１】特開平８−３０１２８７号公報
【特許文献２】特開平８−３０１２８８号公報
【特許文献３】実開平８−７６０６０号公報
【特許文献４】特開平１２−２０７８７号公報
【考案の開示】
【考案が解決しようとする課題】
【０００７】  しかしながら上記のごとき文献に開示された従来技術ではいづれもスプーン固定部やフックを容器本体の内部に設置しこれらスプーン固定部フックによって、計量スプーンを容器内部に保持するものであり、従ってこれら技術では計量カップあるいは計量スプーンを保持する為には既存の容器、例えばビニール袋や開口ボトルの内側にフックを設ける必要がある。しかしこれら既存容器にフックを設けることは不可能である。【０００８】  従来の付属計量容器兼用キャップに関しても上記０００３、０００４記述通り機能重視故の扱いづらさが問題になる。【０００９】  そこで本考案の目的は、扱いやすい計量カップ、見えやすい目盛、場所を選ばない対象容器への止着、保管収納が簡単でシンプル、かつリーズナブルが可能な環状取り付け部付き柄付計量カップを提供することにある。
【課題を解決するための手段】
【０００１０】  上記の目的を達成するため、本発明に係るかる計量カップはカップ部とカップ部から伸びる柄部とを有し、計量カップを容器に取り付けるための環状取り付け部を前記柄部のカップ部とは反対側の端部に設け、かつヒンジ部を柄部に設けたことを特徴とする。【００１１】  上記の目的を達成するため、本発明に係るかる計量カップは前記ヒンジ部をカップ開口側に折り曲げることが出来るが、これとは反対側に折り曲げることができないヒンジ部を設けたことを特徴としている。【００１２】  上記の目的を達成するため、本発明に係るかる計量カップは、前記ヒンジ部を深く急角度に折り畳め、かつ、戻し伸ばすことが出来るヒンジ部を設けたことを特徴としている。【００１３】  上記の目的を達成するため、本発明に係るかる計量カップは、前記柄部から伸びる環状取り付け部根元の一部が分離している環状取り付け部を設けていることを特徴としている。【００１４】  上記の目的を達成するため、本発明に係るかる計量カップは、前記環状取り付け部内側に複数の凸部を設けていることを特徴としている。
【考案の効果】
【００１５】  上記００１３の環状取り付け部形状を設けたことにより、取り付け対象容器の止着サイズや止着対象形状にとらわれず様々な対象容器がくわえ込みも可能になり、かつ、外れにくく脱着も容易な止着対応ができる【００１６】  上記００１３の環状取り付け部形状により、スパウトパック等スタンド袋型ビニール容器、若しくはスタンド袋型アルミ容器等、対象容器の一部に釣り下げ用等の穴が開いている時は、前記穴に環状取り付け部を通し同パックへの取り付けが可能になる。したがって取り付けるキャップや取っ手の無いスタンド型袋タイプでも前記の穴さえあれば該計量カップを取り付けられ、小スペースにて店頭陳列可能となる。【００１７】上記００１３の円環状取り付け部形状により、対象容器の取っ手部に前記柄部ヒンジを折り畳んだまま収納された容器の取っ手を使用するとき、上記環状取り付け部付柄付計量カップを対象容器取っ手部端に柄を広げたままくわえ込ませ対象容器取っ手を使用するのに邪魔にならないように取り付けを変更することが可能となる。
また、上記にキャップ開口部根元を環状取り付け部をくわえ込ませキャップを締めたり、キャップと容器本体の隙間をくわえ込ませたりすることにより計量カップの止着も可能となる。
このように上記計量カップは収納されてはいないが容器に取り付けてあるため未使用時にも保管、保持が可能となる。【００１８】  様々な取り付け対象容器取っ手や首部等に環状取り付け部をくわえ込ませたまま柄部を折り曲げ必要に応じて対象容器の空いている空間に収納することにより、余分なスペースを使うことなくコンパクトに店頭陳列や収納が可能になる。【００１９】  上記のように計量カップ付属柄部を曲げ伸ばすことにより、例えば対象容器に対し軽く曲げ外側に沿わせたり、深く折り曲げ収納したり、収納から取り外し伸ばしたりと、対象容器への容易な脱着が可能なため、対象容器余分空間に収納出来ることを可能とし省力スペースを活用することができる。【００２０】  上記のように対薬品性が高く半透明で見やすいポリプロピレン素材の計量カップに扱いやすい柄を付けることによりカップ本体を持つこともなく安全に、かつ明細な目盛計量と液体や粉末移し替えが可能となる。【００２１】  上記計量カップに環状取り付け部がついていることにより、取り付け対象が環状取り付け部直径より大きいサイズの取り付け部や小さいサイズの取り付け部にも計量カップ取り付けが可能になり、さらに対象はポリ容器ポリタンク、スタンドパックだけにとどまらずブリキ缶手持ち部や一斗缶の取っ手にも取り付けることができる。【００２２】  計量カップのヒンジ柄部を伸ばすことにより上記０００３、０００４の液体または粉体を入れたキャップを直接手に持つことなく、扱いやすくなり、また万一対象物が溢れや零れ等となる場合でも手や体に触れることを最小限にくい止めることが出来る。
【図面の簡単な説明】
【図１】本考案の計量カップの斜視図である。
【図２】キャップ付きスパウトパックの斜視図である。
【図３】ポリタンクの斜視図である。
【図４】詰め替え用プラスチックボトルの斜視図である。
【図５】取っ手付きプラスチックボトルの斜視図である。
【図６】取っ手付きブリキ缶の斜視図である。
【考案を実施するための最良の形態】
【００２３】以下本考案の最良の形態を図面を参照して詳細に説明する。
図１には本考案の係る計量カップ１の一実施例が示されており、この計量カップ１はカップ部２と、このカップ部２から伸びる柄部３と、この柄部３のカップ部２と反対側の端部に形成された環状取り付け部４、そして柄部３の環状取り付け部４側片方に設けてある切り離し部５と、柄部に設けてある折り曲げスリット７、また環状取り付け部内側には数カ所の突起物６を備えている（実施例では４カ所）。【００２４】図１の環状取り付け部４の切り離し部５により環状取り付け部４は、取り付け対象物へ均等にくわえ込み圧力効果を発揮し環状取り付け部４の直径９より大きなサイズの対象物もくわえ込むことが可能となる。なお切り離し部は５に限定されない。
例えば、切り離し部５が反対側の部分であっても同機能をもつことが可能である。【００２５】図１の環状取り付け部４の内側数カ所に付いている凸状突起物６は環状取り付け部４の対象物取り付けの際、計量カップ１が左右に振られるのを防ぐように滑り止めの効力を発揮する形態である。【００２６】図２のスパウトパックＢへの取り付け時は、取り付け対象キャップＡが計量カップ１の環状取り付け部４の直径９より大きいが、切り離し部５のポリプロピレン特有の修正力により全体を締め付けるくわえ込み力が完成し、また滑り止め６により外れにくい構造である。【００２７】次に図３ポリ容器Ｅを参照に使用する場合を説明する。本図３は、計量カップ１をポリ容器Ｅに収納する場合、ポリ容器取っ手Ｃに環状取り付け部４を取り付けた上でスリット７を深く折り曲げ柄部３を折り畳み取っ手Ｃ下の空間Ｓ１に収納出来る構造であることを説明している
また、上記計量カップは、ポリ容器取っ手Ｃを使用時には小キャップＤの根元に環状取り付け部４をくわえ込ませ軽量カップ不使用時にも邪魔にならないよう常時保持し、かつ紛失を防ぐ機能も備えている。【００２８】図４のような容器Ｆの場合でも計量カップ１を対象容器Ｆキャップ部根元の隙間に環状取り付け部４を使い突起滑り止め６で固定したまま店頭陳列も可能である。【００２９】図５においてスタンド型ポリ容器取っ手部Ｊの内側空間Ｓ２にも計量カップ１のスリット部６を深く折り曲げ収納が可能である。【００３０】図６において環状取り付け部４の直径９より細い取り付け部であるブリキ缶Ｈの取っ手Ｇにも計量カップ１を取り付けが可能である。
【符号の説明】
【００３１】１  計量カップ
２  カップ部
３  柄部
４  環状取り付け部
５  根元切り離し部
６  内側滑り止め
７  折り曲げ収納スリット
８  環状取り付け部内直径
【図１】
0003178810.tif 000003
【図２】
0003178810.tif 000004
【図３】
0003178810.tif 000005
【図４】
0003178810.tif 000006
【図５】
0003178810.tif 000007
【図６】
0003178810.tif 000008